(57)【要約】      （修正有）【課題】座ったときの脚の置き方を含めた座り姿勢全体を美しく正しく保つことができる美脚骨盤クッションを提供する。【解決手段】臀部の中央部が嵌り込む空間部１１を有し、臀部の外周部を支持する臀部支持部１０ａ，１０ｂ，１０ｃと、臀部支持部１０ａ，１０ｂ，１０ｃの両側部から前方に向けて延設され、左右の脚部を支持する一対の脚部支持部１０ｄ，１０ｅと、一対の脚部支持部１０ｄ，１０ｅを内側に狭める付勢力を付与する付勢手段としての伸縮性帯状布１２とを備えるものとする。一対の脚部支持部１０ｄ，１０ｅは、臀部支持部１０ａ，１０ｂ，１０ｃよりもクッション性が低く硬めにされるのがよい。また、空間部１１には、臀部の中央部を支持するハンモック布１３が張設されるのがよい。【選択図】図１
0003166945.tif 000002
【実用新案登録請求の範囲】
【請求項１】
臀部の中央部が嵌り込む空間部を有し、臀部の外周部を支持する臀部支持部と、
前記臀部支持部の両側部から前方に向けて延設され、左右の脚部を支持する一対の脚部支持部と、
前記一対の脚部支持部を内側に狭める付勢力を付与する付勢手段と、
を備えることを特徴とする美脚骨盤クッション。
【請求項２】
前記一対の脚部支持部は、前記臀部支持部よりもクッション性が低く硬めにされる請求項１に記載の美脚骨盤クッション。
【請求項３】
前記臀部支持部の空間部には、臀部の中央部を支持するハンモック布が張設される請求項１または２に記載の美脚骨盤クッション。
【考案の詳細な説明】
【技術分野】
【０００１】
本考案は、座り姿勢を美しく正しく保つのに用いられて好適な美脚骨盤クッションに関するものである。
【背景技術】
【０００２】
例えば、事務的な労働で椅子に腰掛けて仕事をする場合、悪い姿勢で作業を続けることがある。座り姿勢が悪いと、腰部や骨盤部に変則的な力が働いて疲労感を高めることになり、この状態が長期に亘ると、腰部や骨盤部に異常を来して腰痛などの障害が発生する恐れがある。
【０００３】
そこで、座り姿勢を美しく正しく保つようにしたクッションが、例えば特許文献１にて提案されている。
【先行技術文献】
【特許文献】
【０００４】
【特許文献１】特開２００７−２８９６１９号公報
【０００５】
特許文献１に係るクッションは、硬めの弾性体からなる骨盤載置部を有し、この骨盤載置部の上面に、衝撃吸収性に優れた軟らかな弾性体を装着してなるものである。
骨盤載置部は、骨盤下方の坐骨をぐっと押し込めるような凹状に形成されており、座った状態では、常に硬めの弾性体の反発力によって、骨盤が内側に締め付けられるような構造となっている。
骨盤載置部の上面に装着された軟らかな弾性体は、その優れた衝撃吸収性により、硬めの弾性体の圧力を痛みと感じさせず、快適な座り心地を提供する。
特許文献１に係るクッションによれば、座るだけで座る人の自らの体重の反作用により、骨盤を内側に締め付ける力が骨盤載置部から臀部に加えられるので、座り姿勢をある程度、美しく正しく保つことができる。
【０００６】
ところで、人によっては、脚を組んで座ったり、無意識に脚を広げて座ったりする癖を持っている。このような癖を持った人が、特許文献１に係るクッションを使用したとしても、脚を組んで座ったり、無意識に脚を広げて座ったりしてしまうことになる。
脚を組んで座ると、骨盤の歪みの原因となる。また、脚を広げて座ると、見た目に悪く、下品な印象を与えてしまう。
したがって、座ったときの脚の置き方を含めた座り姿勢全体を美しく正しく保つことのできるクッションが望まれている。
【考案の概要】
【考案が解決しようとする課題】
【０００７】
本考案は、前述のような事情に鑑みてなされたもので、座ったときの脚の置き方を含めた座り姿勢全体を美しく正しく保つことができる美脚骨盤クッションを提供することを目的とするものである。
【課題を解決するための手段】
【０００８】
前記目的を達成するために、本考案による美脚骨盤クッションは、
臀部の中央部が嵌り込む空間部を有し、臀部の外周部を支持する臀部支持部と、
前記臀部支持部の両側部から前方に向けて延設され、左右の脚部を支持する一対の脚部支持部と、
前記一対の脚部支持部を内側に狭める付勢力を付与する付勢手段と、
を備えることを特徴とするものである（第１考案）。
【０００９】
本考案において、前記一対の脚部支持部は、前記臀部支持部よりもクッション性が低く硬めにされるのが好ましい（第２考案）。
【００１０】
本考案において、前記臀部支持部の空間部には、臀部の中央部を支持するハンモック布が張設されるのが好ましい（第３考案）。
【考案の効果】
【００１１】
本考案の美脚骨盤クッションにおいては、臀部支持部に臀部を乗せて座ると、臀部支持部の空間部に臀部の中央部が嵌り込み、臀部の外周部が臀部支持部によって支持される。このとき、座る人の自らの体重の反作用により、骨盤を内側に締め付ける力が臀部支持部から臀部に加えられる。こうして、座るだけで骨盤が内側に締め付けられて、座り姿勢が美しく正しく保たれる。
また、左右の脚部を支持する一対の脚部支持部には、これら脚部支持部を内側に狭める付勢力が付勢手段によって付与される。これにより、左右の脚部を内側へと閉じる力が一対の脚部支持部から左右の脚部に加えられる。こうして、座るだけで自然に脚が閉じられて、脚組みしにくくなり、脚の置き方が美しく正しく保たれる。
本考案の美脚骨盤クッションによれば、骨盤を内側に締め付ける力が臀部支持部から臀部に加えられるとともに、左右の脚部を内側へと閉じる力が一対の脚部支持部から左右の脚部に加えられるので、座ったときの脚の置き方を含めた座り姿勢全体を美しく正しく保つことができる。
【００１２】
第２考案の構成を採用することにより、左右一対の脚部支持部にて左右の脚部を内側に閉める際に、左右の脚部をより安定的に保持することができる。
【００１３】
第３考案の構成を採用することにより、臀部がより安定的に支持されるとともに、臀部支持部に対する臀部の沈み込み量を規定することができる。
【図面の簡単な説明】
【００１４】
【図１】本考案の一実施形態に係る美脚骨盤クッションの全体斜視図
【図２】本実施形態の美脚骨盤クッションの使用状態図で、臀部側から見た図
【図３】本実施形態の美脚骨盤クッションの使用状態図で、脚部側から見た図
【考案を実施するための形態】
【００１５】
次に、本考案よる美脚骨盤クッションの具体的な実施の形態について、図面を参照しつつ説明する。
【００１６】
＜美脚骨盤クッションの概略構造説明：図１、図３参照＞
図３に示されるように、本実施形態の美脚骨盤クッション１は、椅子２の座部２ａの上面に敷かれて、人の臀部３から左右の脚部（大腿部）４，４´に亘って支持するようにして用いられる。
図１に示されるように、本実施形態の美脚骨盤クッション１は、平面視で前方に開放された略Ｕの字状のクッション本体１０を備えている。
【００１７】
＜クッション本体の説明：図１参照＞
クッション本体１０は、管構造の外装カバー内にクッション部材を充填してなり、断面が楕円状の膨らみを持たせた形状に形成されている。なお、クッション本体１０の上半分は、肌触りの良い起毛布で被覆され、クッション本体１０の下半分は、通気性に優れたメッシュ素材で被覆されている。
【００１８】
＜臀部支持部の説明：図１参照＞
クッション本体１０は、臀部３の後側部分、左側部分および右側部分をそれぞれ支持する後側臀部支持部１０ａ、左側臀部支持部１０ｂおよび右側臀部支持部１０ｃを有している。これら臀部支持部１０ａ，１０ｂ，１０ｃは、一体的に連設されており、臀部３の外周部を支持する。
クッション本体１０において、後側臀部支持部１０ａと左側臀部支持部１０ｂと右側臀部支持部１０ｃとの間には、臀部３の中央部が嵌り込む空間部１１が形成されている。
【００１９】
＜脚部支持部の説明：図１参照＞
さらに、クッション本体１０は、左側臀部支持部１０ｂから前方に向けて一体的に延設される左側脚部支持部１０ｄと、右側臀部支持部１０ｃから前方に向けて一体的に延設される右側脚部支持部１０ｅとを有している。これら左右一対の脚部支持部１０ｄ，１０ｅは、左右の脚部４，４´を外側から内側に包み込むように支持する。
【００２０】
＜臀部支持部と脚部支持部のクッション性の比較説明：図１参照＞
臀部支持部１０ａ，１０ｂ，１０ｃにおいて、外装カバー内に充填されるクッション部材としては、例えば、低反発性のウレタンフォームなどの柔軟性を有する樹脂製発泡材が好適に用いられる。
一方、脚部支持部１０ｄ，１０ｅにおいて、外装カバー内に充填されるクッション部材としては、例えば、適度な硬さとクッション性を有し、しかも通気性に優れるポリエチレン系樹脂製のパイプ中芯が好適に用いられる。
こうして、脚部支持部１０ｄ，１０ｅが臀部支持部１０ａ，１０ｂ，１０ｃよりもクッション性が低く硬めにされることにより、左右一対の脚部支持部１０ｄ，１０ｅにて左右の脚部４，４´を内側に閉める際に、左右の脚部４，４´をより安定的に保持することができる。
【００２１】
＜付勢手段の説明：図１参照＞
左側脚部支持部１０ｄと右側脚部支持部１０ｅとは、伸縮ゴムが編み込まれてなる伸縮性帯状布１２によって接続されている。この伸縮性帯状布１２は、左右一対の脚部支持部１０ｄ，１０ｅを内側に狭める付勢力を付与する付勢手段として機能する。
【００２２】
＜ハンモック布の説明：図１参照＞
クッション本体１０の空間部１１には、ハンモック布１３が張設されている。ハンモック布１３は、臀部３の中央部を支持するものであって、後側臀部支持部１０ａと左側臀部支持部１０ｂと右側臀部支持部１０ｃと伸縮性帯状布１２とを繋ぐように設けられている。
こうして、クッション本体１０の空間部１１にハンモック布１３が張設されることにより、臀部３がより安定的に支持されるとともに、クッション本体１０に対する臀部３の沈み込み量を規定することができる。
なお、ハンモック布１３には、通気孔１３ａが設けられており、長時間を座っても臀部３が蒸れにくいようにされている。
【００２３】
＜作用効果の説明：図１、図２、図３参照＞
本実施形態の美脚骨盤クッション１においては、クッション本体１０を構成する臀部支持部１０ａ，１０ｂ，１０ｃに臀部３を乗せて座ると、空間部１１（図１参照）に臀部３の中央部が嵌り込み、臀部３の外周部が臀部支持部１０ａ，１０ｂ，１０ｃによって支持される。このとき、図２に示されるように、座る人の自らの体重Ｗの反作用により、骨盤を内側に締め付ける力Ｆａ，Ｆａが臀部支持部１０ａ，１０ｂ，１０ｃから臀部３に加えられる。こうして、座るだけで骨盤が内側に締め付けられて、座り姿勢が美しく正しく保たれる。
また、左右の脚部４，４´を支持する一対の脚部支持部１０ｄ，１０ｅには、これら脚部支持部１０ｄ，１０ｅを内側に狭める付勢力が伸縮性帯状布１２（図１参照）によって付与される。これにより、図３に示されるように、左右の脚部４，４´を内側へと閉じる力Ｆｂ，Ｆｂが一対の脚部支持部１０ｄ，１０ｅから左右の脚部４，４´に加えられる。こうして、座るだけで自然に脚部４，４´の膝が閉じられて、脚組みしにくくなり、脚の置き方が美しく正しく保たれる。
本考案の美脚骨盤クッション１によれば、骨盤を内側に締め付ける力Ｆａ，Ｆａ（図２参照）が臀部支持部１０ａ，１０ｂ，１０ｃから臀部３に加えられるとともに、左右の脚部４，４´を内側へと閉じる力Ｆｂ，Ｆｂ（図３参照）が一対の脚部支持部１０ｄ，１０ｅから左右の脚部４，４´に加えられるので、座ったときの脚の置き方を含めた座り姿勢全体を美しく正しく保つことができる。
【００２４】
以上、本考案の美脚骨盤クッションについて、一実施形態に基づいて説明したが、本考案は上記実施形態に記載した構成に限定されるものではなく、その趣旨を逸脱しない範囲において適宜その構成を変更することができるものである。
【産業上の利用可能性】
【００２５】
本考案の美脚骨盤クッションは、座ったときの脚の置き方を含めた座り姿勢全体を美しく正しく保つことができるという特性を有していることから、オフィスや自宅の椅子の上に敷く敷物の用途に好適に用いることができる。
【符号の説明】
【００２６】
１          美脚骨盤クッション
３          臀部
４，４´    脚部
１０        クッション本体
１０ａ      後側臀部支持部
１０ｂ      左側臀部支持部
１０ｃ      右側臀部支持部
１０ｄ      左側脚部支持部
１０ｅ      右側脚部支持部
１１        空間部
１２        伸縮性帯状布
１３        ハンモック布
【図１】
0003166945.tif 000003
【図２】
0003166945.tif 000004
【図３】
0003166945.tif 000005
【手続補正書】
【提出日】平成23年2月2日(2011.2.2)
【手続補正１】
【補正対象書類名】実用新案登録請求の範囲
【補正対象項目名】全文
【補正方法】変更
【補正の内容】
【実用新案登録請求の範囲】
【請求項１】
臀部の中央部が嵌り込む空間部を有し、臀部の外周部を支持する臀部支持部と、
前記臀部支持部の両側部から前方に向けて延設され、左右の脚部を支持する一対の脚部支持部と、
前記一対の脚部支持部を内側に狭める付勢力を付与する伸縮性帯状布と、
を備えることを特徴とする美脚骨盤クッション。
【請求項２】
前記一対の脚部支持部は、前記臀部支持部よりもクッション性が低く硬めにされる請求項１に記載の美脚骨盤クッション。
【請求項３】
前記臀部支持部の空間部には、臀部の中央部を支持するハンモック布が張設される請求項１または２に記載の美脚骨盤クッション。
【手続補正２】
【補正対象書類名】明細書
【補正対象項目名】０００８
【補正方法】変更
【補正の内容】
【０００８】
前記目的を達成するために、本考案による美脚骨盤クッションは、
臀部の中央部が嵌り込む空間部を有し、臀部の外周部を支持する臀部支持部と、
前記臀部支持部の両側部から前方に向けて延設され、左右の脚部を支持する一対の脚部支持部と、
前記一対の脚部支持部を内側に狭める付勢力を付与する伸縮性帯状布と、
を備えることを特徴とするものである（第１考案）。
【手続補正３】
【補正対象書類名】明細書
【補正対象項目名】００１１
【補正方法】変更
【補正の内容】
【００１１】
本考案の美脚骨盤クッションにおいては、臀部支持部に臀部を乗せて座ると、臀部支持部の空間部に臀部の中央部が嵌り込み、臀部の外周部が臀部支持部によって支持される。このとき、座る人の自らの体重の反作用により、骨盤を内側に締め付ける力が臀部支持部から臀部に加えられる。こうして、座るだけで骨盤が内側に締め付けられて、座り姿勢が美しく正しく保たれる。
また、左右の脚部を支持する一対の脚部支持部には、これら脚部支持部を内側に狭める付勢力が伸縮性帯状布によって付与される。これにより、左右の脚部を内側へと閉じる力が一対の脚部支持部から左右の脚部に加えられる。こうして、座るだけで自然に脚が閉じられて、脚組みしにくくなり、脚の置き方が美しく正しく保たれる。
本考案の美脚骨盤クッションによれば、骨盤を内側に締め付ける力が臀部支持部から臀部に加えられるとともに、左右の脚部を内側へと閉じる力が一対の脚部支持部から左右の脚部に加えられるので、座ったときの脚の置き方を含めた座り姿勢全体を美しく正しく保つことができる。